(57)【要約】【課題】他の回路や、デバイスから電源電圧を経由して発振回路に印加されるノイズの影響を低減する電源供給回路を提供する。【解決手段】電源供給回路１は電源電圧ＶCCにより充電され、発振回路に電源電圧を供給するコンデンサＣ１及びＣ２と、このコンデンサＣ１及びＣ２を電源電圧ＶCCにより充電するか、或いは電源供給に使用するかを切り替えるスイッチＳＷ１、ＳＷ２と、コンデンサＣ１及びＣ２の放電電圧を監視する電圧レベル検出回路２と、この電圧レベル検出回路２の検出結果により電源供給するコンデンサをコンデンサＣ１とするか或いはＣ２とするかを切り替えるよう制御するＳＷ切替回路３と、ＳＷ切替回路３の制御により電源供給するコンデンサをコンデンサＣ１とするか或いはＣ２とするかを選択して切り替える選択スイッチＳＷ３と選択したコンデンサが出力する電源電圧を安定化させて発振回路に供給する定電圧回路４とを備えるようにした。【選択図】図１
2008079481.tif 000002
【特許請求の範囲】
【請求項１】
発振回路に定電圧を供給する電源供給回路であって、
複数のコンデンサと、
前記複数のコンデンサをそれぞれ充電するか、或いは、前記コンデンサの充電電力を前記発振回路に放電するかを切り替える複数の切替スイッチと、
前記発振回路に電圧を供給する前記コンデンサを選択するコンデンサ選択スイッチと、
前記コンデンサからの放電電圧を検出する電圧レベル検出回路と、
該電圧レベル検出回路の検出結果により前記切替スイッチと前記コンデンサ選択スイッチの切替制御を行うスイッチ切替回路と、
前記コンデンサからの放電電圧を定電圧化する定電圧回路と、
を備えたことを特徴とする電源供給回路。
【請求項２】
前記複数の切替スイッチは、前記スイッチ切替回路により何れか１つの前記コンデンサが放電状態となるよう切り替えたときに他の前記コンデンサが充電状態となるよう切り替えることを特徴とする請求項１に記載の電源供給回路。
【請求項３】
発振回路に定電圧を供給する電源供給回路であって、
電源電圧を入力することにより所定電圧を供給する電源分離回路と、
前記発振回路が起動したか否かを検出する発振検出回路と、
前記発振検出回路の検出結果に基づいて前記発振回路の起動時は、前記発振回路に前記電源電圧を供給し、前記発振回路の起動後は前記電源分離回路から前記発振回路に電圧を供給するよう切り替える電源切替回路と、
を備えたことを特徴とする電源供給回路。
【請求項４】
前記電源分離回路は、
複数のコンデンサと、
前記複数のコンデンサをそれぞれ充電するか、或いは、前記コンデンサの充電電力を前記発振回路に放電するかを切り替える複数の切替スイッチと、
前記発振回路に電圧を供給する前記コンデンサを選択するコンデンサ選択スイッチと、
前記コンデンサからの放電電圧を検出する電圧レベル検出回路と、
該電圧レベル検出回路の検出結果により前記切替スイッチと前記コンデンサ選択スイッチの切替制御を行うスイッチ切替回路と、
前記コンデンサからの放電電圧を定電圧化する定電圧回路と、
を備えたことを特徴とする請求項３に記載の電源供給回路。
【請求項５】
請求項１乃至請求項４の何れか一項に記載の電源供給回路と、
該電源供給回路から駆動電圧が供給される発振回路と、を備えたことを特徴とする発振器。
【発明の詳細な説明】
【技術分野】
【０００１】
本発明は電源供給回路及び発振器に関し、特に発振回路へ供給する電源を発振回路以外の回路に供給する電源と分離して、他の回路から電源を経由して発振回路に印加される電源ノイズの影響を低減する電源供給回路及び発振器に関するものである。
【背景技術】
【０００２】
安定した周波数信号を供給する発振器は、通信機器、電子機器等にクロック源として広く用いられているが、ジッタの少ない安定した発振器出力信号を得るためには、発振器に供給する電源電圧を、電源ノイズの少ないクリアな電源電圧とする必要がある。一般的に、例えば、発振器の後段に、分周回路などのロジック回路が接続されていると、ロジック回路が動作するときに発生する瞬時的なノイズが電源電圧に回り込み、発振器の出力信号にジッタを与えるなどの悪影響を与える。
【０００３】
従来、このような電源ノイズによる影響を除去する方法として、特許文献１に開示されている手法がある。
図６は、特許文献１に開示されている従来の半導体集積回路の構成図である。半導体集積回路１０１は、発振回路１０２と、発振回路１０２から出力される発振出力信号を分周することにより分周信号を出力する分周回路１０３と、発振出力信号と分周信号との内の一方を選択するセレクタ１０４と、発振回路１０２と分周回路１０３で生ずる電源ノイズの影響を排除する電源供給回路１０５と、を備えている。電源供給回路１０５は、第１の分離回路１０６と第２の分離回路１０７とを備えており、第１の分離回路１０６は、分周回路１０３の動作により電源電圧ＶCCに回り込む電源ノイズが発振回路１０２に及ぼす影響を遮断し、発振出力信号に生ずるジッタを低減する。
【０００４】
一方、第２の分離回路１０７は、発振回路１０２の動作により電源電圧ＶCCに回り込む電源ノイズが分周回路１０３に及ぼす影響を遮断し、分周信号に生ずるジッタを低減する。なお、第１の分離回路１０６及び第２の分離回路１０７の内の一方を省略しても、一定の効果を得ることができる。第１の分離回路１０６及び第２の分離回路１０７としては、例えば、ローパスフィルタ、又はレギュレータを用いることができる。ローパスフィルタの例としては、抵抗ＲとコンデンサＣとによって構成される１次のローパスフィルタがあり、カットオフ周波数ｆCは、ｆC＝１／（２πＲＣ）で表され、それ以上の周波数を有するノイズ成分は、−６ｄＢ／Ｏｃｔの傾斜で低下する。
また、レギュレータの例としては、定電流源と、オペアンプと、複数のトランジスタなどにより構成した従来のレギュレータが使用でき、安定した電圧と、ノイズ成分が低減された電源電圧を供給可能である。
【０００５】
次に、発振回路に主電源のほか、二次電池からも電源供給可能とする従来例が、特許文献２に開示されている。これによれば、リアルタイムクロックを、主電源から供給する電源により駆動すると共に、主電源が停止時にバックアップ用の二次電池から電源を供給可能とするものである。二次電池は、リアルタイムクロックのみに電源供給される充電可能な電池であり、待ち受け時は、二次電池はフル充電された状態である。二次電池は、ノイズの少ない安定した電源であるが、バックアップ時にのみ使用されるため、常時動作中には、主電源よりノイズの含まれる電源が供給され、リアルタイムクロックは、電源ノイズの影響を受けることとなる。
【特許文献１】特開２００５−１３０１８３号公報
【特許文献２】特開２００２−１６２４８５号公報
【発明の開示】
【発明が解決しようとする課題】
【０００６】
しかしながら、従来の電源供給回路は、以下に述べるような問題点を抱えていた。従来の電源供給回路は、発振回路と分周回路に供給する電源電圧を２つの分離回路を用いて分離することにより、発振回路の動作時に発生する電源ノイズと分周回路の動作時に発生する電源ノイズとが互いに影響することを防いでいる。分離回路の構成手段であるローパスフィルタは、抵抗とコンデンサを用いた１次のローパスフィルタであるが、抵抗とコンデンサは、数値のばらつきが大きく、また、周囲温度変化によるローパスフィルタの特性劣化も生じ、安定した電源供給回路を構成することは困難であった。また、分離回路として、レギュレータを用いた場合も同様であり、安定したノイズ低減の効果を期待できないという問題があった。
本発明は、上述したような問題を解決するためになされたものであって、他の回路や、デバイスから電源電圧を経由して発振回路に印加されるノイズの影響を低減する電源供給回路を提供することを目的とする。
【課題を解決するための手段】
【０００７】
上記目的を達成するために本発明に係る電源供給回路は、発振回路に定電圧を供給する電源供給回路であって、複数のコンデンサと、複数のコンデンサをそれぞれ充電するか、或いは、コンデンサの充電電力を前記発振回路に放電するかを切り替える複数の切替スイッチと、発振回路に電圧を供給するコンデンサを選択するコンデンサ選択スイッチと、コンデンサからの放電電圧を検出する電圧レベル検出回路と、電圧レベル検出回路の検出結果により切替スイッチとコンデンサ選択スイッチの切替制御を行うスイッチ切替回路と、コンデンサからの放電電圧を定電圧化する定電圧回路と、を備えたことを特徴とする。
また本発明に係る電源供給回路は、複数の切替スイッチは、スイッチ切替回路により何れか１つのコンデンサが放電状態となるよう切り替えたときに、他のコンデンサが充電状態となるよう切り替えることを特徴とする。
これらによれば、電源供給回路は、発振回路に供給する電源を他の回路に供給する電源と分離し、電源電圧に充電されたコンデンサの放電電圧を安定化した後、発振回路に供給したので、他の回路、或いは、デバイスにおいて発生するノイズが電源に回りこんで生ずる電源ノイズの影響を低減できることから、安定したジッタの少ない発振回路出力を得るうえで大きな効果を発揮する。
【０００８】
また、本発明に係る電源供給回路は、発振回路に定電圧を供給する電源供給回路であって、電源電圧を入力することにより所定電圧を供給する電源分離回路と、発振回路が起動したか否かを検出する発振検出回路と、発振検出回路の検出結果に基づいて発振回路の起動時は、発振回路に電源電圧を供給し、発振回路の起動後は電源分離回路から発振回路に電圧を供給するよう切り替える電源切替回路と、を備えたことを特徴とする。
これによれば、電源供給回路は、発振回路に供給する電源を他の回路に供給する電源と分離し、発振回路の起動後は電源分離回路から発振回路に電圧を供給するようにしたので、他の回路、或いは、デバイスにおいて発生するノイズが電源に回りこんで生ずる電源ノイズの影響を低減できることから、安定したジッタの少ない発振回路出力を得るうえで大きな効果を発揮する。また、発振回路の起動時において、発振回路が起動する前は電源電圧を発振回路に供給し、発振回路が起動後は、電源電圧を電源分離回路から供給するようにしたので、起動時の立ち上がり時間が短縮されるという特徴を有している。
【０００９】
また、本発明に係る電源供給回路は、電源供給回路が複数のコンデンサと、複数のコンデンサをそれぞれ充電するか、或いは、コンデンサの充電電力を発振回路に放電するかを切り替える複数の切替スイッチと、発振回路に電圧を供給するコンデンサを選択するコンデンサ選択スイッチと、コンデンサからの放電電圧を検出する電圧レベル検出回路と、圧レベル検出回路の検出結果により切替スイッチとコンデンサ選択スイッチの切替制御を行うスイッチ切替回路と、コンデンサからの放電電圧を定電圧化する定電圧回路とを備えるようにした。
これによれば、電源供給回路は、発振回路に供給する電源を他の回路に供給する電源と分離し、電源電圧により充電されたコンデンサの放電電圧を安定化した後、発振回路に供給したので、他の回路、或いは、デバイスにおいて発生するノイズが電源に回りこんで生ずる電源ノイズの影響を低減できることから、安定したジッタの少ない発振回路出力を得るうえで大きな効果を発揮する。また、発振回路の起動時において、発振回路が起動する前は電源電圧を発振回路に供給し、発振回路が起動後は、ノイズの少ない安定した電源電圧を電源分離回路から供給するようにしたので、起動時の立ち上がり時間が短縮されるという特徴を有している。
【００１０】
また本発明の発振器は、本発明の電源供給回路と、電源供給回路から駆動電圧が供給される発振回路とを備えるようにした。このような本発明によれば、上記したような効果が得られる発振器を実現することができる。
【発明を実施するための最良の形態】
【００１１】
以下、図示した実施形態に基づいて本発明を詳細に説明する。なお、本実施形態では本実施形態の電源供給回路と発振回路とにより発振器を構成する場合を例に挙げて説明する。
本発明においては、複数のコンデンサを電源電圧ＶCCにより充電しておき、発振回路には充電されたコンデンサの一つから電源供給するようにした。そして電源供給中のコンデンサの放電電圧を監視し、所定値以下に低下すると、例えばフル充電されている他のコンデンサより電源供給されるように、供給回路を切り替える。更に、コンデンサの放電電圧は電圧値が変動するので、供給回路の後段に定電圧回路を設け、発振回路に安定した電圧でノイズの少ない電源電圧を供給するようにした。
【００１２】
図１は、本発明に係る電源供給回路の第１の実施形態を示す構成図である。
第１の実施形態においては、説明を容易にするため、電源供給を行うコンデンサを二つとした場合について説明する。電源供給回路１は、電源電圧ＶCCにより充電され、発振回路に電源電圧を供給するコンデンサＣ１、及びコンデンサＣ２と、該コンデンサＣ１、及びコンデンサＣ２を電源電圧ＶCCにより充電するか、或いは電源供給に使用するかを切り替える切替スイッチＳＷ１、及び切替スイッチＳＷ２と、コンデンサＣ１及びＣ２の放電電圧を監視する電圧レベル検出回路２と、該電圧レベル検出回路２の検出結果により、電源供給するコンデンサをコンデンサＣ１とするか、或いはコンデンサＣ２とするかを切り替えるよう制御するＳＷ切替回路３と、電源供給するコンデンサをコンデンサＣ１とするか、或いはコンデンサＣ２とするかを選択して切り替える選択スイッチＳＷ３（コンデンサ選択スイッチ）と、選択したコンデンサが出力する電源電圧を安定化させて発振回路に供給する定電圧回路４とにより構成する。
【００１３】
図１の動作を説明する。先ず、初期状態においては、コンデンサＣ１、Ｃ２は、電源電圧ＶCCによりフル充電されている。その後、ＳＷ切替回路３の制御により、切替スイッチＳＷ１は、コンデンサＣ１を電源供給側に接続し、更に、選択スイッチＳＷ３をコンデンサＣ１側に接続するので、コンデンサＣ１の充電電圧が定電圧回路４に放電され、定電圧回路４により安定した電源電圧が発振回路に出力される。このとき、コンデンサＣ２は、切替スイッチＳＷ２により電源電圧ＶCC側に接続されており、コンデンサＣ２には、電源電圧ＶCCによりフル充電された状態である。次に、電圧レベル検出回路２は、コンデンサＣ１の放電電圧を監視しており、コンデンサＣ１の放電電圧が所定値より低下するとＳＷ切替回路３の制御により、切替スイッチＳＷ２を動作させてコンデンサＣ２を電源供給側に切り替えると共に、切替スイッチＳＷ１を動作させてコンデンサＣ１を電源電圧ＶCC側に切り替え、コンデンサＣ１を電源電圧ＶCCにより充電する。このとき、選択スイッチＳＷ３は、コンデンサＣ２側を選択するよう切り替わっている。これにより、コンデンサＣ２の充電電圧が定電圧回路４に放電され、定電圧回路４により安定した電源電圧が発振回路に出力される。
【００１４】
次に、電圧レベル検出回路２は、コンデンサＣ２の放電電圧を監視しており、コンデンサＣ２の放電電圧が所定値より低下するとＳＷ切替回路３の制御により、切替スイッチＳＷ１を動作させてコンデンサＣ１を電源供給側に切り替えると共に、切替スイッチＳＷ２を動作させてコンデンサＣ２を電源電圧ＶCC側に切り替え、コンデンサＣ２を電源電圧ＶCCにより充電する。このとき、選択スイッチＳＷ３は、コンデンサＣ１側を選択するよう切り替わっている。これにより、コンデンサＣ１の充電電圧が定電圧回路４に放電され、定電圧回路４により安定した電源電圧が発振回路に出力される。以降、同様に、コンデンサＣ１及びＣ２が交互に選択され、ノイズの少ない安定した電源電圧が発振回路に供給される。
従って、本発明に係る電源供給回路は、コンデンサに充電された電源電圧を放電させることにより電源供給を行っており、例えば、ロジック回路が動作する際に発生する瞬時的なノイズが電源ノイズとなるような場合であっても、電源ノイズの少ない安定した電源を発振回路に供給することが出来る。
なお、コンデンサＣ１及びＣ２は、所定の値のコンデンサを電源供給回路や、発振回路などと共に、１つのデバイスに内蔵してもよいが、任意の容量のコンデンサを用いたいなどの場合、コンデンサＣ１及びＣ２を外付けする構造としてもよい。
【００１５】
次に、電源供給回路の各構成要素の詳細な回路について説明する。
図２は、本発明に係る電源供給回路の構成要素の詳細な回路図の例である。切替スイッチＳＷ１は、スイッチ機能としてアナログスイッチＡＳＷ１とＡＳＷ２を使用しており、ＳＷ切替回路３が出力する制御信号により動作する。制御信号は、インバータＩＶ１を用いて、反転制御信号が生成されており、アナログスイッチＡＳＷ１が導通するときは、アナログスイッチＡＳＷ２は非導通であり、アナログスイッチＡＳＷ２が導通するときは、アナログスイッチＡＳＷ１は非導通である。また切替スイッチＳＷ２は、切替スイッチＳＷ１と同様な回路構成であり、アナログスイッチＡＳＷ３と、アナログスイッチＡＳＷ４と、インバータＩＶ２とにより構成する。
【００１６】
電圧レベル検出回路２とＳＷ切替回路３は、コンパレータＣＰ１とＣＰ２とを備えており、コンパレータＣＰ１は、前記アナログスイッチＡＳＷ２の出力電圧を監視してアナログスイッチＡＳＷ３とＡＳＷ４を制御し、コンパレータＣＰ２は、前記アナログスイッチＡＳＷ４の出力電圧を監視してアナログスイッチＡＳＷ１とＡＳＷ２を制御する。アナログスイッチＡＳＷ２とＡＳＷ４の出力側にはそれぞれ終端抵抗Ｒ１及びＲ４が接続されており、コンパレータＣＰ１には、他方の入力電圧として抵抗Ｒ２とＲ３による分割電圧である基準電圧Vrefが入力され、コンパレータＣＰ２には、他方の入力電圧として抵抗Ｒ５とＲ６による分割電圧である基準電圧Ｖrefが入力されている。
選択スイッチＳＷ３は、ダイオードＤ１とＤ２とを並列接続したものであり、コンデンサＣ１の放電電圧がコンデンサＣ２側の供給回路に逆流しないよう機能し、コンデンサＣ２の放電電圧がコンデンサＣ１側の供給回路に逆流しないよう機能している。
【００１７】
電源供給回路の詳細な動作を説明する。先ず、初期状態においては、コンデンサＣ１とコンデンサＣ２は、電源電圧ＶCCによりフル充電されている。その後、ＳＷ切替回路３の制御により、所定の条件となるよう切替スイッチＳＷ１及びＳＷ２が設定され、切替スイッチＳＷ１は、アナログスイッチＡＳＷ１が非導通となり、アナログスイッチＡＳＷ２は導通状態となり、コンデンサＣ１の放電電圧がアナログスイッチＡＳＷ２より出力され、ダイオードＤ１を経由して定電圧回路４に入力している。また、切替スイッチＳＷ２は、コンパレータＣＰ１の制御によりアナログスイッチＡＳＷ３が導通状態となり、アナログスイッチＡＳＷ４は非導通状態となり、コンデンサＣ２は、電源電圧ＶCCにより充電された状態である。このとき、Ｄダイオード２によりコンデンサＣ１の放電電圧は、コンデンサＣ２側の供給回路に逆流しない。
【００１８】
一方、アナログスイッチＡＳＷ２が出力するコンデンサＣ１の放電電圧は、コンパレータＣＰ１に入力されて基準電圧Ｖrefと比較され、基準電圧Ｖrefを下回ると、コンパレータＣＰ１の出力は反転する。そこで、切替スイッチＳＷ２が切り替り、アナログスイッチＡＳＷ３を非導通とし、アナログスイッチＡＳＷ４を導通状態とし、コンデンサＣ２の放電電圧がアナログスイッチＡＳＷ４より出力され、ダイオードＤ２を経由して定電圧回路４に入力する。このとき、切替スイッチＳＷ１は、コンパレータＣＰ２の制御によりアナログスイッチＡＳＷ１が導通状態であり、アナログスイッチＡＳＷ２は非導通状態であり、コンデンサＣ１は、電源電圧ＶCCにより充電された状態である。
【００１９】
次に、アナログスイッチＡＳＷ４が出力するコンデンサＣ２の放電電圧は、コンパレータＣＰ２に入力されて基準電圧Ｖrefと比較され、基準電圧Ｖrefを下回ると、コンパレータＣＰ２の出力は反転する。そこで、切替スイッチＳＷ１が切り替り、アナログスイッチＡＳＷ１を非導通とし、アナログスイッチＡＳＷ２を導通状態とし、コンデンサＣ１の放電電圧がアナログスイッチＡＳＷ２より出力され、ダイオードＤ１を経由して定電圧回路４に入力する。以降、同様に、コンデンサＣ１及びＣ２が交互に選択され、ノイズの少ない安定した電源電圧が定電圧回路４を経由して発振回路に供給される。なお、切替スイッチＳＷ１と切替スイッチＳＷ２の切替時においては、切替時の瞬時にコンデンサＣ１による放電とコンデンサＣ２による放電が同時に行われるタイミングがあるが、コンデンサＣ１による放電とコンデンサＣ２による放電の両者が停止するタイミングはない。
【００２０】
次に、電源供給回路の第２の実施形態について説明する。第２の実施形態は、発振回路の起動時には、電源電圧ＶCCを直接発振回路に供給し、発振回路の起動後は、電源分離回路より、ノイズの少ない安定した電源電圧を供給するようにしたものである。第２の実施形態によれば、起動時の立ち上がり時間が短縮されるという特徴がある。
図３は、本発明に係る電源供給回路の第２の実施形態を示す構成図である。電源供給回路５は、発振回路に供給する電源を、電源電圧ＶCCから直接供給するか、電源分離回路６を経由してノイズの少ない安定した電源電圧を供給するかを切り替える電源切替回路７と、電源電圧ＶCCを入力してノイズの少ない安定した電源電圧を供給する電源分離回路６と、発振回路が起動したかどうかを監視する発振検出回路８と、により構成する。
電源切替回路７は、ＳＷ切替回路９と電源切替スイッチＳＷ４とにより構成し、発振検出回路８が出力する検出信号によりＳＷ切替回路９を動作させる。そしてＳＷ切替回路９の制御により、発振回路の起動時は、発振回路に供給する電源として電源電圧ＶCCを選択するよう電源切替スイッチＳＷ４を切り替え、発振回路が起動後は、発振回路に供給する電源として電源分離回路６が出力するノイズの少ない安定した電源を選択するよう電源切替スイッチＳＷ４を切り替える。
【００２１】
次に、電源分離回路６は、第１の実施形態において説明した電源供給回路１と同様な回路構成を有している。
図４は本発明に係る電源分離回路の実施形態を示す構成図である。図４においては、説明を容易にするため、電源供給を行うコンデンサを二つとした場合について説明する。電源分離回路６は、電源電圧ＶCCにより充電されるコンデンサＣ３及びＣ４と、コンデンサＣ３及びＣ４を電源電圧ＶCCにより充電するか、或いは、電源供給に使用するかを切り替える切替スイッチＳＷ５及びＳＷ６と、コンデンサＣ３及びＣ４の放電電圧を監視する電圧レベル検出回路１０と、該電圧レベル検出回路１０の検出結果により、電源供給するコンデンサをＣ３とするか、或いは、Ｃ４とするかを切り替えるよう制御するＳＷ切替回路１１と、電源供給するコンデンサをＣ３とするか、或いは、コンデンサＣ４とするかを選択して切り替えるコンデンサ選択スイッチＳＷ７と、選択したコンデンサが出力する電源電圧を安定化させて発振回路に供給する定電圧回路１２と、により構成する。
なお、電源分離回路６の動作については、前述した電源供給回路１の動作と同様であるので説明を省略する。
【００２２】
次に、発振検出回路８は、発振回路が起動して周波数信号を出力したことを検出する回路であって、図５にその構成図を示す。
図５は、本発明に係る発振検出回路の実施形態を示す構成図である。
発振検出回路８は、発振回路の出力がハイレベル状態で停止しているか、周波数信号を出力しているかを検出する発振出力ハイレベル検出回路１３と、発振回路の出力信号を反転させるインバータＩＶ３と、発振回路の出力がロウレベル状態で停止しているか、周波数信号を出力しているかを検出する発振出力ロウレベル検出回路１４と、発振出力ハイレベル検出回路１３の出力信号と発振出力ロウレベル検出回路１４の出力信号とを入力して論理和を求める論理和回路（オア回路）ＯＲ１と、を備えている。
【００２３】
発振検出回路８の動作を説明すると、発振出力ハイレベル検出回路１３は、発振回路がハイレベルとロウレベルを繰り返す周波数信号を出力していると、ロウレベルを出力する。一方、発振出力ロウレベル検出回路１４は、発振回路がハイレベルとロウレベルを繰り返す周波数信号を出力していると、ロウレベルを出力する。従って、オア回路ＯＲ１の出力は、ロウレベルである。次に、発振出力ハイレベル検出回路１３は、発振回路の出力がハイレベルのまま停止しているとハイレベルを出力する。従って、オア回路ＯＲ１の出力は、ハイレベルとなる。一方、発振出力ロウレベル検出回路１４は、発振回路の出力がロウレベルのまま停止しているとハイレベルを出力する。従って、オア回路ＯＲ１の出力は、ハイレベルとなる。その結果、発振検出回路８の出力は、発振回路が停止している状態では、ハイレベルを出力し、発振回路が起動し、周波数信号を出力すると、ロウレベルを出力する。
【００２４】
電源切替回路７は、前記発振検出回路８が出力する検出信号によりＳＷ切替回路９を動作させ、発振回路の起動時（発振検出回路８の出力はハイレベル）では、発振回路に供給する電源として電源電圧ＶCCを選択し、発振回路が起動後は（発振検出回路８の出力は、ロウレベル）、発振回路に供給する電源として電源分離回路６が出力するノイズの少ない安定した電源を選択する。
【００２５】
以上、電源供給回路について、電源供給用のコンデンサが２つの場合について説明したが、本発明においては、二つ以上の複数のコンデンサを用いて電源供給回路を構成することも可能である。
また、本発明の説明においては、電源供給回路を発振回路に適用して発振器を構成する場合について説明したが、本発明はこれに限るものではなく、発振回路以外にノイズの少ない安定した電源供給が必要な回路、或いはデバイスに、本発明に係る電源供給回路を適応することも可能である。
【図面の簡単な説明】
【００２６】
【図１】本発明に係る電源供給回路の第１の実施形態を示す構成図である。
【図２】本発明に係る電源供給回路の構成要素の詳細な回路図の例を示す図である。
【図３】本発明に係る電源供給回路の第２の実施形態を示す構成図である。
【図４】本発明に係る電源分離回路の実施形態を示す構成図である。
【図５】本発明に係る発振検出回路の実施形態を示す構成図である。
【図６】従来の半導体集積回路の構成図である。
【符号の説明】
【００２７】
１…電源供給回路、２…電圧レベル検出器、３…ＳＷ切替回路、４…定電圧回路、５…電源供給回路、６…電源分離回路、７…電源切替回路、８…発振検出回路、９…ＳＷ切替回路、１０…電圧レベル検出回路、１１…ＳＷ切替回路、１２…定電圧回路、１３…発振出力ハイレベル検出回路、１４…発振出力ロウレベル検出回路、Ｃ１、Ｃ２、Ｃ３、Ｃ４…コンデンサ、ＳＷ１、ＳＷ２、ＳＷ３、ＳＷ４、ＳＷ５、ＳＷ６、ＳＷ７…スイッチ、ＡＳＷ１、ＡＳＷ２、ＡＳＷ３、ＡＳＷ４…アナログスイッチ、ＩＶ１、ＩＶ２、ＩＶ３…インバータ、ＣＰ１、ＣＰ２…コンパレータ、Ｒ１、Ｒ２、Ｒ３、Ｒ４、Ｒ５、Ｒ６…抵抗、Ｄ１、Ｄ２…ダイオード、ＯＲ１…オア回路
【図１】
2008079481.tif 000003
【図２】
2008079481.tif 000004
【図３】
2008079481.tif 000005
【図４】
2008079481.tif 000006
【図５】
2008079481.tif 000007
【図６】
2008079481.tif 000008